(57)【要約】本発明の実施形態は、基地局が、指定された基準信号の一部の利用可能なリソースを発見信号（ＤＳ）リソースとして構成することと、基地局が構成に応じてＤＳを送信し、端末が構成に応じてＤＳを測定することとを含む発見信号処理方法を開示する。また、本発明の実施形態は、ＤＳリソースを構成し、指定された基準信号の一部の利用可能なリソースをＤＳリソースとすることを含むように構成される構成モジュールと、構成に応じてＤＳを送信するように構成される送信モジュールとを少なくとも含む基地局を開示する。また、本発明の実施形態は、前記発見信号処理方法を実行するためのコンピュータ実行可能命令を記憶しているコンピュータ記憶媒体を開示する。【選択図】図１
2016536883.tif 000002
【特許請求の範囲】
【請求項１】
発見信号処理方法であって、
基地局が、指定された基準信号の一部の利用可能なリソースを発見信号（ＤＳ）リソースとして構成することと、
基地局が構成に応じてＤＳを送信し、端末が構成に応じてＤＳを測定することとを含む、発見信号処理方法。
【請求項２】
前記基地局が、指定された信号のすべての利用可能なリソースをＤＳリソースとして構成することをさらに含むことを特徴とする
請求項１に記載の発見信号処理方法。
【請求項３】
前記指定された基準信号は、チャネル状態情報基準信号（ＣＳＩ−ＲＳ）を含み、前記構成は、
前記ＣＳＩ−ＲＳを送信するアンテナポートのうちの１つ以上のアンテナポートによって送信されたＣＳＩ−ＲＳリソースをＤＳリソースとして構成すること、または、
１つ以上のアンテナポートによって送信されたＣＳＩ−ＲＳリソースを独立して構成することを含むことを特徴とする
請求項１または２に記載の発見信号処理方法。
【請求項４】
前記ＤＳリソースは、ＣＳＩ−ＲＳの一部の利用可能リソースと他の信号の組み合わせを含み、
その他の信号は、プライマリ同期信号及び／又はセカンダリ同期信号（ＰＳＳ及び／又はＳＳＳ）、共通基準信号（ＣＲＳ）、位置決め基準信号（ＰＲＳ）のうちの一つまたは任意のいくつかの組み合わせを含むことを特徴とする
請求項１に記載の発見信号処理方法。
【請求項５】
前記構成は、前記ＣＳＩ−ＲＳリソースのアンテナポートと他の信号のアンテナポートのマッピングが一致するように構成されること、
または、前記ＣＳＩ−ＲＳリソースのアンテナポートと他の信号のアンテナポートがそれぞれ異なるポートをマッピングするように構成されることをさらに含むことを特徴とする
請求項４に記載の発見信号処理方法。
【請求項６】
ＤＳリソースとして構成されたＣＳＩ−ＲＳリソースは、チャネル状態情報測定（ＣＳＩ）のための既存のＣＳＩ−ＲＳリソースと互いに直交することを特徴とする
請求項３に記載の発見信号処理方法。
【請求項７】
前記指定された基準信号がＰＳＳ及び／又はＳＳＳを含み、
前記ＤＳリソースがＰＳＳ及び／又はＳＳＳ、およびＣＳＩ−ＲＳまたはＣＲＳまたはＰＲＳのうちの一つまたは任意のいくつかの組み合わせを含むことを特徴とする
請求項１に記載の発見信号処理方法。
【請求項８】
前記ＤＳのバースト構造は、同一のセルにおいて、送信されたＤＳのバースト構造が異なること、または、
一つのセルクラスタにおいて、一部のセルによって送信された各ＤＳのバースト構造にＤＳリソースを構成するためのすべての信号が含まれ、残りのセルによって送信されたＤＳのバースト構造にＤＳリソースを構成するための一部の信号が含まれること、または、
送信された各ＤＳのバースト構造にＤＳリソースを構成するためのすべての信号が含まれることであることを特徴とする
請求項４または７に記載の発見信号処理方法。
【請求項９】
前記ＤＳは、ＰＳＳ及び／又はＳＳＳとＣＳＩ−ＲＳを含み、前記構成は、
前記基地局によってＵＥがＰＳＳ及び／又はＳＳＳに基づいて同期を実現し、ＣＳＩ−ＲＳに基づいてＲＲＭ測定を行うように構成されることと、
ＰＳＳ及び／又はＳＳＳとＣＳＩ−ＲＳに対応する論理ＩＤおよび論理アンテナポートがそれぞれ独立して構成され、マッピング関係が一致するまたは一致しないように構成されることと、
前記ＤＳのＣＳＩ−ＲＳ構成部分が一般的にＣＳＩ測定に用いられる既存のＣＳＩ−ＲＳと独立して構成され、または、一般的にＣＳＩ測定に用いられる既存のＣＳＩ−ＲＳの一部のポートと周期から構成されることとをさらに含むことを特徴とする
請求項８に記載の発見信号処理方法。
【請求項１０】
前記基地局が構成に基づいてＤＳを測定するように端末に通知することをさらに含み、
前記通知が無線リソース制御シグナリングにより通知されることであることを特徴とする
請求項１に記載の発見信号処理方法。
【請求項１１】
前記端末に通知された構成情報は、
セル識別子および対応する発見信号測定パターンを含んでいる前記ＤＳにより測定されたセルセット、または、
測定されたセルが、前記端末が常駐しているセルと同期するかどうか、および／または測定されたセルと前記端末が常駐しているセルの同期偏差値を含むことを特徴とする
請求項１０に記載の発見信号処理方法。
【請求項１２】
物理セル識別子ＰＣＩまたはアクセスポイント識別子ＡＰＩを使用して擬似ランダムＰＮシーケンスを初期化することをさらに含むことを特徴とする
請求項１または２に記載の発見信号処理方法。
【請求項１３】
基地局であって、
ＤＳリソースを構成し、指定された基準信号の一部の利用可能なリソースをＤＳリソースとすることを含むように構成される構成モジュールと、
構成に応じてＤＳを送信するように構成される送信モジュールとを少なくとも含む、基地局。
【請求項１４】
前記構成モジュールは、さらに指定された基準信号のすべての利用可能なリソースをＤＳリソースとして構成するように構成されることを特徴とする
請求項１３に記載の基地局。
【請求項１５】
前記指定された基準信号は、ＣＳＩ−ＲＳであり、
前記ＤＳリソースは、ＣＳＩ−ＲＳの一部の利用可能なリソースと他の信号の組み合わせを含み、
他の信号が、プライマリ同期信号及び／又はセカンダリ同期信号（ＰＳＳ及び／又はＳＳＳ）、共通基準信号（ＣＲＳ）、位置決め基準信号（ＰＲＳ）のうちの一つまたはそれらの任意のいくつかの組み合わせを含むことを特徴とする
請求項１３または１４に記載の基地局。
【請求項１６】
前記構成モジュールは、具体的に前記ＣＳＩ−ＲＳを送信するアンテナポートのうちの１つ以上のアンテナポートによって送信された前記ＣＳＩ−ＲＳリソースを前記ＤＳリソースとして構成するように構成され、または、
１つ以上のアンテナポートによって送信された前記ＣＳＩ−ＲＳのリソースを前記ＤＳリソースとして独立して構成するように構成されることを特徴とする
請求項１５に記載の基地局。
【請求項１７】
前記構成モジュールは、さらに、
前記ＣＳＩ−ＲＳリソースのアンテナポートと他の信号のアンテナポートのマッピングが一致するように構成され、または、
前記ＣＳＩ−ＲＳリソースのアンテナポートと他の信号のアンテナポートがそれぞれ異なるポートをマッピングするように構成されるように構成されることを特徴とする
請求項１６に記載の基地局。
【請求項１８】
前記指定された基準信号がＰＳＳ及び／又はＳＳＳを含み、
前記ＤＳリソースがＰＳＳ及び／又はＳＳＳ、およびＣＳＩ−ＲＳまたはＣＲＳまたはＰＲＳのうちの一つまたはそれらの任意のいくつかの組み合わせを含むことを特徴とする
請求項１３に記載の基地局。
【請求項１９】
前記ＤＳのバースト構造は、同一のセルにおいて、送信されたＤＳのバースト構造が異なること、または、
一つのセルクラスタにおいて、一部のセルによって送信された各ＤＳのバースト構造にＤＳリソースを構成するためのすべての信号が含まれ、残りのセルによって送信されたＤＳのバースト構造にＤＳリソースを構成するための一部の信号が含まれること、または、
送信された各ＤＳのバースト構造にＤＳリソースを構成するためのすべての信号が含まれることであることを特徴とする
請求項１６または１８に記載の基地局。
【請求項２０】
前記ＤＳは、ＰＳＳ及び／又はＳＳＳとＣＳＩ−ＲＳを含み、前記構成モジュールは、さらに、
前記ＵＥがＰＳＳ及び／又はＳＳＳに基づいて同期を実現し、前記ＣＳＩ−ＲＳに基づいてＲＲＭ測定を行うように構成され、
ＰＳＳ及び／又はＳＳＳとＣＳＩ−ＲＳに対応する論理ＩＤおよび論理アンテナポートがそれぞれ独立して構成され、マッピング関係が一致するまたは一致しないように構成され、
前記ＤＳのＣＳＩ−ＲＳ構成部分が、一般的にＣＳＩ測定に用いられる既存のＣＳＩ−ＲＳと独立して構成され、または、一般的にＣＳＩ測定に用いられる既存のＣＳＩ−ＲＳの一部のポートと周期から構成されるように構成されることを特徴とする
請求項１８に記載の基地局。
【請求項２１】
構成に基づいてＤＳを測定するように端末に通知するように構成される通知モジュールを含み、
前記端末に通知された構成情報は、
セル識別子および対応する発見信号測定パターンを含んでいる前記ＤＳにより測定されたセルセット、または、
測定されたセルが、前記端末が常駐しているセルと同期するかどうか、および／または測定されたセルと前記端末が常駐しているセルの同期偏差値を含むことを特徴とする
請求項１３に記載の基地局。
【請求項２２】
ＤＳリソースとして構成されたＣＳＩ−ＲＳリソースは、チャネル状態情報測定（ＣＳＩ）のための既存のＣＳＩ−ＲＳリソースと互いに直交することを特徴とする
請求項１７に記載の基地局。
【請求項２３】
コンピュータ記憶媒体であって、
請求項１〜１２のいずれか１項に記載の方法を実行するためのコンピュータ実行可能命令を記憶しているコンピュータ記憶媒体。
【発明の詳細な説明】
【技術分野】
【０００１】
本発明は、スモールセル（Ｓｍａｌｌ  Ｃｅｌｌ）技術に関し、特にスモールセル配置シーンにおける発見信号処理方法、基地局およびコンピュータ記憶媒体に関する。
【背景技術】
【０００２】
スモールセル（Ｓｍａｌｌ  Ｃｅｌｌ）技術は、低電力の無線アクセスノードを使用するので、マクロセル（Ｍａｃｒｏ  Ｃｅｌｌ）のカバー範囲を拡張して、マクロセルの日々増加するデータトラフィックをオフロードすることに用いられることができ、それによって無線スペクトルリソースの使用効率を向上させる。現在、先進的な長期発展型（ＬＴＥ−Ａｄｖａｎｃｅｄ）システムは、スモールセル技術を使用してネットワーク容量を向上させる。
【０００３】
Ｓｍａｌｌ  Ｃｅｌｌは、通常、サイズが小さく、カバー範囲が１０メートル〜２キロメートルである。ＬＴＥネットワークのＳｍａｌｌ  Ｃｅｌｌ配置シーン方式は、比較的柔軟であり、例えば、マクロセルとスモールセルの２つのレベルを含むことができ、マクロセルとスモールセルが同一の周波数点に配置され、すなわち同一チャネル配置であってよく、それぞれ異なる周波数ポイントに構成され、即ち非同一チャネル配置であってもよい。ＬＴＥネットワークのＳｍａｌｌ  Ｃｅｌｌ配置シーンにおいてマクロセルを配置せず、スモールセルのみを配置することもできる。しかも、スモールセルは、屋内環境に配置されてもよく、屋外環境に配置されてもよく、まばらに配置されてよく、密に配置されてもよい。
【０００４】
Ｓｍａｌｌ  Ｃｅｌｌは干渉制限システムであり、マクロセルとスモールセルとの間、スモールセルとスモールセルとの間には、複雑な干渉関係が存在する。各セルがそれぞれ動的にスケジューリングしてセル内の端末のためにサービスを提供する。また、ユーザ端末（ＵＥ）の移動に伴い、ＵＥが間断なくスモールセルに移入し、スモールセルから移出し、Ｓｍａｌｌ  Ｃｅｌｌシステムの負荷および干渉が大幅に変動するため、一定の干渉協調方法を使用してＳｍａｌｌ  Ｃｅｌｌに対して干渉抑制および協調を行う必要がある。例えば、スモールセル適応スイッチ機構と適応電力調整機構である。
【０００５】
ここで、スモールセル適応スイッチ機構の基本的な思想は、いくつかの負荷が低いスモールセルを自己適応的にオープンし、クローズして、セル間の干渉を低減させる。オープンされたセルは、活性化セルと呼ばれ、活性化セルが正常にデータチャネルおよび共通チャネルでの送信を行い、クローズされたセルが休眠セルと呼ばれ、休眠セルがデータチャネルおよび一部の共通チャネルをクローズする。しかし、活性化セルと休眠セルは、いずれもセル発見および選択、活性化／非活性化などのためのセル発見信号（ＤＳ：Ｄｉｓｃｏｖｅｒｙ  Ｓｉｇｎａｌ）を送信することができる。
【０００６】
現在、一般的に既存の基準信号、例えばチャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソースをＤＳとして使用する。しかし、既存のＣＳＩ−ＲＳ自体の作用がＣＳＩ測定を実現するために構成されることであるので、時間領域の密度およびアンテナの数が比較的多い。スモールセル配置シーンに対して、ＤＳを測定する場合により多くのセルを測定する必要がある。ＣＳＩ測定のためのＣＳＩ−ＲＳ送信用アンテナポートは、一般的に多く、かつ周期が一般的に小さく、ＤＳは、一般的に多くのアンテナポートおよび小さい周期を必要としない。すなわち、ＤＳのために既存のＣＳＩ−ＲＳを直接に再利用してＤＳに用いると、間違いなく不要な無線リソースオーバーヘッド問題をもたらす。
【発明の概要】
【発明が解決しようとする課題】
【０００７】
本発明の実施形態が解決しようとする技術的問題は、無線リソースのオーバーヘッドを低減して、スペクトル効率を向上させることができる発見信号測定方法、基地局、およびコンピュータ記憶媒体を提供することである。
【課題を解決するための手段】
【０００８】
前記技術的問題を解決するために、本発明の実施形態による発見信号処理方法は、
基地局が指定された基準信号の一部の利用可能なリソースを発見信号（ＤＳ）リソースとして構成（ｃｏｎｆｉｇｕｒａｔｉｏｎ）することと、
基地局が構成に応じてＤＳを送信し、端末が構成に応じてＤＳを測定することとを含む。
【０００９】
当該方法は、前記基地局が、指定された信号のすべての利用可能なリソースをＤＳリソースとして構成することをさらに含む。
【００１０】
前記指定された基準信号は、チャネル状態情報基準信号（ＣＳＩ−ＲＳ）を含み、前記構成（ｃｏｎｆｉｇｕｒａｔｉｏｎ）は、
前記ＣＳＩ−ＲＳのアンテナポートのうちの１つ以上のアンテナポートによって送信されたＣＳＩ−ＲＳリソースをＤＳリソースとして構成すること、または、
１つ以上のアンテナポートによって送信されたＣＳＩ−ＲＳリソースを独立して構成することを含む。
【００１１】
前記ＤＳリソースは、ＣＳＩ−ＲＳの一部の利用可能リソースと他の信号の組み合わせを含み、
その他の信号は、プライマリ同期信号及び／又はセカンダリ同期信号（ＰＳＳ及び／又はＳＳＳ）、共通基準信号（ＣＲＳ）、位置決め基準信号（ＰＲＳ）のうちの一つまたは任意のいくつかの組み合わせを含む。
【００１２】
前記構成は、前記ＣＳＩ−ＲＳリソースのアンテナポートと他の信号のアンテナポートのマッピングが一致するように構成されること、
または、前記ＣＳＩ−ＲＳリソースのアンテナポートと他の信号のアンテナポートがそれぞれ異なるポートをマッピングするように構成されることをさらに含む。
【００１３】
ＤＳリソースとして構成されたＣＳＩ−ＲＳリソースは、チャネル状態情報測定（ＣＳＩ）のための既存のＣＳＩ−ＲＳリソースと互いに直交する。
【００１４】
前記指定された基準信号がＰＳＳ及び／又はＳＳＳを含み、
前記ＤＳリソースがＰＳＳ及び／又はＳＳＳ、およびＣＳＩ−ＲＳまたはＣＲＳまたはＰＲＳのうちの一つまたは任意のいくつかの組み合わせを含む。
【００１５】
前記ＤＳのバースト構造は、同一のセルにおいて、送信されたＤＳのバースト構造が異なること、または、
一つのセルクラスタにおいて、一部のセルによって送信された各ＤＳのバースト構造にＤＳリソースを構成するためのすべての信号が含まれ、残りのセルによって送信されたＤＳのバースト構造にＤＳリソースを構成するための一部の信号が含まれること、または、
送信された各ＤＳのバースト構造にＤＳリソースを構成するためのすべての信号が含まれることである。
【００１６】
前記ＤＳは、ＰＳＳ及び／又はＳＳＳとＣＳＩ−ＲＳを含み、前記構成は、
前記基地局によってＵＥがＰＳＳ及び／又はＳＳＳに基づいて同期を実現し、ＣＳＩ−ＲＳに基づいてＲＲＭ測定を行うように構成されることと、
ＰＳＳ及び／又はＳＳＳとＣＳＩ−ＲＳに対応する論理ＩＤおよび論理アンテナポートがそれぞれ独立して構成され、マッピング関係が一致するまたは一致しないように構成されることと、
前記ＤＳのＣＳＩ−ＲＳ構成部分は、一般的にＣＳＩ測定に用いられる既存のＣＳＩ−ＲＳと独立して構成され、または、一般的にＣＳＩ測定に用いられる既存のＣＳＩ−ＲＳの一部のポートと周期から構成されることとをさらに含む。
【００１７】
当該方法は、前記基地局が構成に応じてＤＳを測定するように端末に通知することとをさらに含み、
前記通知が無線リソース制御シグナリングにより通知されることである。
【００１８】
前記端末に通知された構成情報は、
セル識別子および対応する発見信号測定パターンを含んでいる前記ＤＳにより測定されたセルセット、または、
測定されたセルが、前記端末が常駐しているセルと同期するかどうか、および／または測定されたセルと前記端末が常駐しているセルの同期偏差値（ｓｙｎｃｈｒｏｎｉｚａｔｉｏｎ  ｄｅｖｉａｔｉｏｎ）を含む。
【００１９】
当該方法は、物理セル識別子ＰＣＩまたはアクセスポイント識別子ＡＰＩを使用して擬似ランダムＰＮシーケンスを初期化することをさらに含む。
【００２０】
本発明の実施形態による基地局は、
ＤＳリソースを構成し、指定された基準信号の一部の利用可能なリソースをＤＳリソースとすることを含むように構成される構成モジュールと、
構成に応じてＤＳを送信するように構成される送信モジュールとを少なくとも含む。
【００２１】
前記構成モジュールは、さらに指定された基準信号のすべての利用可能なリソースをＤＳリソースとして構成するように構成される。
【００２２】
前記指定された基準信号は、ＣＳＩ−ＲＳである。
【００２３】
前記ＤＳリソースは、ＣＳＩ−ＲＳの一部の利用可能なリソースと他の信号の組み合わせを含み、
他の信号がプライマリ同期信号及び／又はセカンダリ同期信号（ＰＳＳ及び／又はＳＳＳ）、共通基準信号（ＣＲＳ）、位置決め基準信号（ＰＲＳ）のうちの一つまたはそれらの任意のいくつかの組み合わせを含む。
【００２４】
前記構成モジュールは、具体的に前記ＣＳＩ−ＲＳを送信するアンテナポートのうちの１つ以上のアンテナポートによって送信された前記ＣＳＩ−ＲＳリソースを前記ＤＳリソースとして構成するように構成され、または、
１つ以上のアンテナポートによって送信された前記ＣＳＩ−ＲＳのリソースを前記ＤＳリソースとして独立して構成するように構成される。
【００２５】
前記構成モジュールは、さらに、
前記ＣＳＩ−ＲＳリソースのアンテナポートと他の信号のアンテナポートのマッピングが一致するように構成され、または、
前記ＣＳＩ−ＲＳリソースのアンテナポートと他の信号のアンテナポートがそれぞれ異なるポートをマッピングするように構成されるように構成される。
【００２６】
前記指定された基準信号がＰＳＳ及び／又はＳＳＳを含み、
前記ＤＳリソースがＰＳＳ及び／又はＳＳＳ、およびＣＳＩ−ＲＳまたはＣＲＳまたはＰＲＳのうちの一つまたはそれらの任意のいくつかの組み合わせを含む。
【００２７】
前記バースト構造は、同一のセルにおいて、送信されたＤＳのバースト構造が異なること、または、
一つのセルクラスタにおいて、一部のセルによって送信された各ＤＳのバースト構造にＤＳリソースを構成するためのすべての信号が含まれ、残りのセルによって送信されたＤＳのバースト構造にＤＳリソースを構成するための一部の信号が含まれること、または、
送信された各ＤＳのバースト構造にＤＳリソースを構成するためのすべての信号が含まれることである。
【００２８】
前記ＤＳは、ＰＳＳ及び／又はＳＳＳとＣＳＩ−ＲＳを含み、前記構成モジュールは、さらに、
前記ＵＥがＰＳＳ及び／又はＳＳＳに基づいて同期を実現し、ＣＳＩ−ＲＳに基づいてＲＲＭ測定を行うように構成され、
ＰＳＳ及び／又はＳＳＳとＣＳＩ−ＲＳに対応する論理ＩＤおよび論理アンテナポートがそれぞれ独立して構成され、マッピング関係が一致するまたは一致しないように構成され、
前記ＤＳのＣＳＩ−ＲＳ構成部分が、一般的にＣＳＩ測定に用いられる既存のＣＳＩ−ＲＳと独立して構成され、または、一般的にＣＳＩ測定に用いられる既存のＣＳＩ−ＲＳの一部のポートと周期から構成されるように構成される。
【００２９】
前記基地局は、構成に応じてＤＳを測定するように端末に通知するように構成される通知モジュールをさらに含む。
【００３０】
前記端末に通知された構成情報は、
セル識別子および対応する発見信号測定パターンを含んでいる前記ＤＳにより測定されたセルセット、または、
測定されたセルが、前記端末が常駐しているセルと同期するかどうか、および／または測定されたセルと前記端末が常駐しているセルの同期偏差値を含む。
【００３１】
ＤＳリソースとして構成されたＣＳＩ−ＲＳリソースは、チャネル状態情報測定（ＣＳＩ）のための既存のＣＳＩ−ＲＳリソースと互いに直交する。
【００３２】
前記問題を解決するために、本発明の実施形態は、さらに前記方法を実行するためのコンピュータ実行可能命令を記憶しているコンピュータ記憶媒体を提供する。
【００３３】
従来技術と比べて、本発明の実施形態による技術的解決手段は、基地局が、指定された基準信号の一部の利用可能なリソースをＤＳリソースとして構成（ｃｏｎｆｉｇｕｒａｔｉｏｎ）し、基地局が構成に応じてＤＳを送信し、端末が構成に応じてＤＳを測定することを含む。本発明の実施形態による発見信号処理方法において、指定された基準信号例えばＣＳＩ−ＲＳの一部の利用可能なリソースのみをＤＳリソースとして構成するので、無線リソースのオーバーヘッドを削減させ、それによってスペクトル効率を向上する。本発明の実施形態は、さらに指定された基準信号のすべての利用可能なリソースをＤＳリソースとして構成することを含み、指定された基準信号がＣＳＩ−ＲＳであってよく、従来のＤＳ処理方法に対する互換性を実現する。
【図面の簡単な説明】
【００３４】
【図１】本発明の実施形態による発見信号処理方法のフローチャートである。
【図２】本発明の実施形態による基地局の構成構造図である。
【発明を実施するための形態】
【００３５】
本発明の目的、技術的解決手段と利点がより明らかになるように、以下に図面を参照して本発明の実施形態を詳しく説明する。衝突しない場合には、本出願における実施形態および実施形態の特徴が互いに任意に組み合わせられることができると説明すべきである。
【００３６】
図１は本発明の実施形態による発見信号処理方法のフローチャートである。図１に示すように、前記方法は、以下のステップを含む。
【００３７】
ステップ１００：基地局は、指定された基準信号の一部の利用可能なリソースをＤＳリソースとして構成（Ｃｏｎｆｉｇｕｒａｔｉｏｎ）する。
【００３８】
本ステップにおいて、指定された基準信号がＣＳＩ−ＲＳであってよく、ＤＳリソースは、ＣＳＩ−ＲＳの一部の利用可能なリソースと他の信号例えばプライマリ同期信号及び／又はセカンダリ同期信号（ＰＳＳ及び／又はＳＳＳ）、共通基準信号（ＣＲＳ）、位置決め基準信号（ＰＲＳ）のうちの一つまたはそれらの任意のいくつかの組み合わせを含む。ここで、ＤＳコンポーネントのためのＣＳＩ−ＲＳリソースをＤＳ−ＲＳとして略称する。
【００３９】
本ステップにおいて構成（Ｃｏｎｆｉｇｕｒａｔｉｏｎ）の具体的な実現は、ＣＳＩ−ＲＳを送信するアンテナポートのうちの１つ以上のアンテナポートによって送信されたＣＳＩ−ＲＳリソースをＤＳリソースとして構成し、または、１つ以上のアンテナポートによって送信されたＣＳＩ−ＲＳリソースをＤＳリソースとして独立して構成することを含む。
【００４０】
本発明の一つの実施形態において、ＤＳリソースコンポーネントとされるＣＳＩ−ＲＳリソースのアンテナポートと他の信号リソースのアンテナポートのマッピングが一致するように構成されることができる。例えば、ＤＳポートの数を１に構成し、ＤＳ信号がＣＳＩ−ＲＳリソースとＰＲＳから構成されると仮定すると、ＣＳＩ−ＲＳポート０のリソースを選択してＤＳポート０にマッピングし、同時にＰＲＳリソースコンポーネントをＤＳポート０にマッピングすることができる。
【００４１】
また、両者がそれぞれ異なるポートをマッピングするように構成されることができる。例えば、ＤＳポートの数を２に構成し、ＤＳ信号がＣＳＩ−ＲＳリソースとＰＲＳリソースから構成されると仮定すると、ＣＳＩ−ＲＳポート０とポート１のリソースを選択してＤＳポート０とポート１にマッピングし、ＰＲＳリソースコンポーネントをポート０にマッピングすることができ、すなわち２つのリソースコンポーネントのポートが独立してマッピングされる。
【００４２】
ＤＳがＣＳＩ−ＲＳリソースを使用して他の信号リソースと組み合わせて構成される場合、いくつかの異なる信号成分は、それぞれの特徴に基づいてそれぞれ異なる作用を果たすことができ、その作用が以下のとおりである。
【００４３】
ＣＳＩ−ＲＳリソースコンポーネントに対して、隣セルにパンクチャリング（ｐｕｎｃｔｕｒｉｎｇ）して干渉を回避する機構を使用することができるので、より良く検出してより多くのセルを発見することができ、
他の信号コンポーネントに対して、他の信号リソースがＰＲＳリソースであると、さらにＣＳＩ−ＲＳリソースに基づいて検出して発見された一部またはすべてのセルの同期検出に用いられることができ、
他の信号リソースがＣＲＳリソースであると、さらにＣＳＩ−ＲＳリソースに基づいて検出して発見された一部またはすべてのセルのＲＲＭ測定に用いられることができ、
他の信号リソースがＰＳＳ及び／又はＳＳＳリソースであると、ＣＳＩ―ＲＳリソースに基づいて検出して発見された一部またはすべてのセルの同期測定に用いられることができる。
【００４４】
本ステップにおいて、指定された基準信号がＰＳＳ及び／又はＳＳＳであってもよく、ＤＳリソースは、ＣＳＩ−ＲＳの一部の利用可能なリソースと他の信号例えばプライマリ同期信号及び／又はセカンダリ同期信号（ＰＳＳ及び／又はＳＳＳ）、共通基準信号（ＣＲＳ）、位置決め信号（ＰＲＳ）のうちの一つまたはそれらの任意のいくつかの組み合わせを含む。ここで、ＤＳコンポーネントのためのＣＳＩ−ＲＳリソースをＤＳ−ＲＳとして略称する。
【００４５】
本ステップにおいて、ＤＳのバースト構造は、異なる構成構造から構成されたＤＳバースト構造であってよい。例えば、
同一のセルにおいて、異なる構成構造のＤＳバースト構造を構成することができ、または、
複数のセルにおいて、それぞれが異なる構成構造を備えるＤＳバースト構造を構成することができ、すなわち一つのセルクラスタにおいて、一部のセルによって送信された各ＤＳのバースト構造のみにＤＳリソースを構成するためのすべての信号が含まれ、他のセルによって送信されたＤＳのバースト構造にＤＳリソースを構成するための一部の信号タイプのみが含まれ、または、
送信された各ＤＳのバースト構造にＤＳリソースを構成するためのすべての信号が含まれる。
【００４６】
ステップ１０１：基地局は、構成に応じてＤＳを送信し、端末は、構成に応じてＤＳを測定する。
【００４７】
本ステップは、基地局が構成に応じてＤＳを測定するように端末に通知することをさらに含む。例えば、無線リソース制御シグナリングにより、構成に応じて発見信号測定を行うように端末に通知する。ここで、端末に通知された構成情報は、ＤＳにより測定されたセルセット、即ちセル識別子および対応する発見信号測定パターン、または測定されたセルが、当該端末が常駐しているセルと同期するかどうかおよび／または測定されたセルと当該端末が常駐しているセルの同期偏差値を含む。
【００４８】
本発明の実施形態による発見信号処理方法において、指定された基準信号例えばＣＳＩ−ＲＳの一部の利用可能なリソースのみをＤＳリソースとして構成するので、無線リソースのオーバーヘッドを削減させ、それによってスペクトル効率を向上する。
本発明の実施形態による方法は、予め選択された処理スキームに従って、指定された基準信号のすべての利用可能なリソースをＤＳリソースとして構成することをさらに含む。
【００４９】
例えば、セル１（Ｃｅｌｌ_１）、Ｃｅｌｌ_２、Ｃｅｌｌ_３があり、ユーザ端末１（ＵＥ１）、ＵＥ２、ＵＥ３があると仮定する。本実施形態において、ＣＳＩ−ＲＳの利用可能なパターンおよびシーケンスのサブセットをＤＳの利用可能なリソースとして選択して使用してＤＳリソースを処理すると仮定する。
【００５０】
具体的に、本実施形態において、ＤＳの利用可能なリソースエレメント（Ｒｅ：Ｒｅｓｏｕｒｃｅ  ｅｌｅｍｅｎｔ）位置がＣＳＩ−ＲＳの利用可能なＲＥ位置セットのサブセットであり、ＤＳ周期は、ＣＳＩ−ＲＳ周期より大きく構成されることができ、かつＤＳの周期がＣＳＩ−ＲＳの利用可能な周期またはＣＳＩ−ＲＳの利用可能な周期の倍数に等し、一つのセルのＤＳポートの数が一般的にＣＳＩ−ＲＳポートの数より小さく、ＤＳのためのリソースがＣＳＩ−ＲＳの一部のポートのリソースであり、本実施形態において好ましくＣＳＩ−ＲＳの１／０または２／３または４／５または６／７に構成されると仮定する。
【００５１】
ＤＳポートマッピングは、以下の２つのスキームを含むことができる。
一つのスキームとして、ＣＳＩ−ＲＳを送信するアンテナポートのうちの１つ以上のアンテナポートによって送信されたＣＳＩ−ＲＳリソースをＤＳリソースとして構成する。具体的には、セルがＣＳＩ−ＲＳを送信し、その中の一部のポートを選択してＤＳの送信に用いるように構成される。例えば、Ｃｅｌｌ_１に８つのＣＳＩ−ＲＳアンテナポートを構成すると仮定し、その中のポート０とポート１をＤＳポートとして定義する。ＤＳのためのポート０とポート１は、ＤＳ需要に応じて構成され、すなわちＤＳとＣＳＩ−ＲＳの電力が異なるように構成される必要があると、ポート０とポート１の電力と他のポートの電力が独立して構成される。セルに対してオープン／クローズ操作を行う場合、ＤＳが、セルがクローズされた場合にも送信される必要があると、ポート０とポート１の信号のみが送信され、他のポートのＣＳＩ−ＲＳ信号が、セルがクローズした場合に送信を停止される。隣セルがＣｅｌｌ_１のＤＳを送信するＲＥ位置に信号を送信しないように構成される必要があると、ポート０とポート１は、ＣＳＩ−ＲＳ需要に応じて、他のＣＳＩ−ＲＳと同様に他のセルに対応するＲＥ位置に干渉を回避させる（例えば、対応するＲＥ位置に信号を送信しない）必要があるだけでなく、同時にＤＳ自体の干渉回避需要に応じて、隣セルに対応するＲＥ位置に干渉を回避する（例えば、対応するＲＥ位置に信号を送信しない）ように他のセルを要求する。例えば、Ｃｅｌｌ_１のＣＳＩ−ＲＳと干渉回避を行う必要がある隣セルセットがＡであり、ＲＥリソースセットがＢであり、Ｃｅｌｌ_１のＤＳと干渉回避を行う必要がある隣セルセットがＣであり、ＲＥリソースセットがＤであると仮定すると、Ｃｅｌｌ_１のポート０およびポート１が隣セルの回避を必要とするセルセットがＡ∪Ｃであり、回避を必要とするＲＥセットがＢ∪Ｄである。記号「∪」は、和セット（和集合）を表す。
【００５２】
別のスキームとして、１つ以上のアンテナポートによって送信されたＣＳＩ−ＲＳリソースをＤＳリソースとして独立して構成する。独立して構成された１つ以上の発見信号のアンテナポートとチャネル状態情報基準信号のアンテナポートが独立する。すなわち、ＣＳＩ−ＲＳとＤＳは、それぞれ独立して構成され、両者に占有された時間周波数リソース位置が異なり、アンテナポートが独立してマッピングされる。例えば、一部のアンテナポートによって送信されたＣＳＩ−ＲＳのみを構成してＤＳに用い、他のアンテナポートがＣＳＩ−ＲＳを送信しない。選択されたＣＳＩ−ＲＳポートリソースの好ましい構成組み合わせが１／０、２／３、４／５、６／７であり、すなわちポートの数が１であると、ポート１、またはポート２、またはポート４、またはポート６に対応するリソースが好ましく、ポートの数が２であると、ポート０とポート１、ポート２とポート３、またはポート４とポート５、またはポート６とポート７に対応する資源が好ましい。また、ＤＳに対応するＣＳＩ−ＲＳ電力は、電力適応（ｐｏｗｅｒ  ａｄａｐｔｉｏｎ）に伴って調整されなく、すなわちその電力が一般的なＣＳＩ−ＲＳに対して独立して構成される。
【００５３】
隣セルが本セルのＤＳに対応するＲＥリソースに対応して信号を送信しないように構成される。隣セルセットと一般的なＣＳＩ−ＲＳセットが比較的独立して構成され、通常、セルセットのサイズがＣＳＩ−ＲＳ測定に対応するセルセットより大きい。
【００５４】
上記の２つのスキームに対して、いずれもセル間のＤＳ構成パターン関係を協調し、同士にパンクチャリングすることができる。すなわちＣｅｌｌ_１とＣｅｌｌ_２がＤＳを送信するリソースは、直交して構成され、Ｃｅｌｌ_１がＤＳを送信するＲＥ位置に対して、Ｃｅｌｌ_１と隣接するＣｅｌｌ_２は、Ｃｅｌｌ_２のＣｅｌｌ_１に対するＤＳ干渉を回避するように、対応するＲＥ位置を構成して信号を送信しないことができる。Ｃｅｌｌ_１は、Ｃｅｌｌ_２との通信インターフェイスを介してそれに構成されて送信されたＤＳ情報をＣｅｌｌ_２に通知することができ、Ｃｅｌｌ_２は、Ｃｅｌｌ_１のＤＳ情報に基づいて自体のＤＳ送信とＣｅｌｌ_１に対するＤＳ干渉回避操作を確定する。
【００５５】
本発明の実施形態によって提供される技術的解決手段により、ＣＳＩ−ＲＳリソースがＤＳリソースに用いられた後、ＣＳＩ目的のＣＳＩリソースにおいて、シーケンス初期化が複数のセルに同一のＩＤを使用してスクランブリングするかもしれなく、ＤＳが異なる論理セルを区分する必要があり、または仮想（ｖｉｒｔｕａｌ）セル識別子（ＣＩＤ：Ｃｅｌｌ  ｉｄｅｎｔｉｒｙ）とＣＳＩ測定需要が異なるため、このようにしてＣＳＩとＤＳに対応するＣＳＩ−ＲＳのシーケンスが異なるべきである。したがって、当該方法は、擬似ランダム（ＰＮ：ｓｅｕｄｏ−ｒａｎｄｏｍ）シーケンスを初期化することをさらに含む。ＤＳのためのＰＮシーケンスの初期化は、物理セル識別子（ＰＣＩ：Ｐｈｙｓｉｃａｌ  Ｃｅｌｌ  ｉｄｅｎｔｉｔｙ）またはアクセスポイント（ＡＰＩ：Ａｃｃｅｓｓ  Ｐｏｉｎｔ  ｉｄｅｎｔｉｔｙ）を使用して実現されることができる。ＣＳＩ−ＲＳのための直交シーケンスに対して、ＤＳは、多重化することができる。
【００５６】
本発明の実施形態のステップ１００において、ＤＳリソースを構成するために使用された複数のタイプの信号構成の実現は、以下のいくつかの方式を含むがこれらに限られない。
【００５７】
方式１：送信された各信号構造にＤＳリソースを構成するためのすべての信号が含まれ、例えば、ＤＳがＰＳＳ及び／又はＳＳＳ、およびＣＳＩ−ＲＳまたはＣＲＳまたはＰＲＳのうちの１つ以上から構成される。例えば、ＤＳがＰＳＳ及び／又はＳＳＳ、およびＣＳＩ−ＲＳを含むことを例とすると、各ＤＳのバースト構造にＰＳＳとＳＳＳのうちの少なくとも一つ、およびＣＳＩ−ＲＳ信号が同時に含まれる。同様に、ＣＲＳ、またはＰＲＳ、またはＣＳＩ−ＲＳのうちの１つ以上が含まれると、各ＤＳのバースト構造にＰＳＳとＳＳＳのうちの少なくとも一つ、およびＣＳＩ−ＲＳ信号が同時に含まれる。
【００５８】
ＤＳ構成における異なるタイプの信号の作用が異なるので、同時にすべての異なるタイプの信号は、ＵＥが各ＤＳバーストですべての検出および測定機能を実現できることに役立つ。
【００５９】
方式２：一つのセルクラスタすなわち複数のセルにおいて、一部のセルによって送信された各信号構造のみにＤＳリソースを構成するためのすべての信号が含まれ、他のセルに一部の信号タイプのみが含まれる。
【００６０】
例えば、ＤＳがＰＳＳ及び／又はＳＳＳ、およびＣＳＩ−ＲＳ信号構成を含むことを例として、セル１（または送信ノード１）の各ＤＳバースト構造にＰＳＳ及び／又はＳＳＳ、およびＣＳＩ−ＲＳ信号が同時に含まれると仮定する。同様にＤＳがＰＳＳ及び／又はＳＳＳ、およびＣＲＳ、ＰＲＳ、ＣＳＩ−ＲＳの一つまたはそれらの任意のいくつかの組み合わせを含む場合、各ＤＳのバースト構造にＰＳＳとＳＳＳのうちの少なくとも一つ、およびＣＲＳ、ＰＲＳ、ＣＳＩ−ＲＳのうちの１つ以上の信号が同時に含まれる。セル２（または送信ノード２）がセル１（または送信ノード１）のＰＳＳ及び／又はＳＳＳに基づいて同期し、各ＤＳのバースト構造にＣＳＩ−ＲＳ信号のみが含まれる。同様にＤＳがＣＲＳ、ＰＲＳ、ＣＳＩ−ＲＳのうちの一つまたはそれらの任意のいくつかの組み合わせを含む場合、各ＤＳのバースト構造にＣＲＳ、ＰＲＳ、ＣＲＳ、ＣＳＩ−ＲＳのうちの一つまたはそれらの任意のいくつかの組み合わせの信号のみが含まれる。
【００６１】
方式３：一つのセルに異なる構成構造のＤＳバースト構造が構成されることができる。
【００６２】
例えば、ＤＳがＰＳＳ及び／又はＳＳＳ、ＣＳＩ−ＲＳおよびＣＳＲ信号を含んで構成されることを例として、ＤＳバースト構造１は、ＤＳのバースト構造にＰＳＳ及び／又はＳＳＳ、ＣＳＩ−ＲＳおよびＣＲＳ信号が同時に含まれることであり、ＤＳバースト構造２は、各ＤＳのバースト構造にＣＳＩ−ＲＳ信号のみが含まれることであり、ＤＳバースト構造３は、各ＤＳのバースト構造にＣＲＳ信号のみが含まれることであり、ＤＳバースト構造４は、各ＤＳのバースト構造にＣＲＳとＣＳＩ−ＲＳ信号が同時に含まれることであり、ＤＳバースト構造５は、各ＤＳのバースト構造にＰＳＳ及び／又はＳＳＳ、ＣＲＳ信号が同時に含まれることであり、ＤＳバースト構造６は、各ＤＳのバースト構造にＰＳＳ及び／又はＳＳＳ、ＣＳＩ−ＲＳ信号が同時に含まれることであり、ＤＳバースト構造７は、各ＤＳのバースト構造にＰＳＳ及び／又はＳＳＳ信号のみが含まれることである。
【００６３】
前記バースト構造の１つ以上が一つのセルまたは送信ノード（ＴＰ：ｔｒａｎｓｍｉｓｓｉｏｎ  ｐｏｉｎｔ）の異なる送信周期に構成され、構成された信号タイプを使用して異なる目的を実現することができる。
【００６４】
このようにしてＵＥは、ＰＳＳ及び／又はＳＳＳに基づいてセルまたは送信ノードの同期を取得し、ＣＳＩ−ＲＳコンポーネントを使用してＲＲＭ測定、Ｃｅｌｌ／ＴＰ  ＩＤ取得などを行い、ＣＳＲコンポーネントを使用してＲＲＭ測定およびＣｅｌｌＩＤ取得を行うことができる。一般的には、ＣＳＩ−ＲＳに基づくＲＲＭ測定の精度がＣＳＩ−ＲＳに基づくＲＲＭ測定の精度より高い。
【００６５】
上述したＤＳリソースを構成するために使用された複数のタイプの信号構成の実現の実施形態から分かるように、本発明の実施形態は、一部のＤＳが含まれるバースト構造のみを送信する方法により、送信信号によって占有されたリソースをできるだけ減少し、それによってオーバーヘッドを削減させ、干渉を低減させる。
【００６６】
本発明の実施形態において、ＤＳリソースを構成する原則は、同期トラッキングがより緊密となることを必要とすると、ＰＳＳ及び／又はＳＳＳコンポーネントが含まれるバースト周期をより短く構成することができ、ＲＲＭ測定がよりリアルタイムかつ正確となることを要求すると、ＣＳＩ−ＲＳまたはＣＲＳコンポーネントが含まれるバースト周期をより短く構成することができる。
【００６７】
同時に、本発明の実施形態においてＤＳリソースを構成する具体的な実現は、異なるセル間または送信ノード間の構成関係を協調することに役立ち、異なるセルに異なる周期で異なるバースト構造を構成することにより、同士のリソースの協調関係に役立ち、例えば同士の時間周波数直交関係などを協調する。
【００６８】
本発明の一つの実施形態において、ＤＳがＰＳＳ及び／又はＳＳＳ、およびＣＳＩ−ＲＳから構成される状況に対して、基地局は、ＵＥが、ＰＳＳ及び／又はＳＳＳに基づいて同期を実現し、ＣＳＩ−ＲＳに基づいてＲＲＭ測定を行うように構成する。両者に対応する論理ＩＤおよび論理アンテナポートは、それぞれ独立して構成されることができ、マッピング関係が一致するように構成されることができ、一致するように構成されなくてもよい。ＤＳのＣＳＩ−ＲＳ構成部分は、一般的にＣＳＩ測定に用いられる既存のＣＳＩ−ＲＳと独立して構成され、または一般的にＣＳＩ測定に用いられる既存のＣＳＩ−ＲＳの一部のポートおよび周期から構成されることができる。
【００６９】
Ｃｅｌｌ１にＤＳを構成することを例として、ＤＳにＰＳＳ及び／又はＳＳＳおよびＣＳＩ−ＲＳが含まれると仮定し、かつＤＳにおけるＰＳＳ及び／又はＳＳＳ構成部分がＣｅｌｌ１のノーマルのＰＳＳ及び／又はＳＳＳシーケンスに一致すると仮定すると、対応するＩＤがＣｅｌｌ１のＰＣＩであり、ポートマッピングが一致するように維持することもできる。Ｃｅｌｌ１がクローズ状態に入った場合、送信周期は、Ｃｅｌｌ１のノーマルのＰＳＳ及び／又はＳＳＳより長いことができる。Ｃｅｌｌ１の一般的なＰＳＳ及び／又はＳＳＳを直接に構成して使用することができるが、その中の一部の周期のリソースのみを構成して使用し、例えば、Ｃｅｌｌ１の一般的なＰＳＳ及び／又はＳＳＳは、５ｍｓの周期で送信され、ＤＳのＰＳＳ及び／又はＳＳＳ構成部分がその中の５×Ｎ（ｍｓ）周期のコンポーネントであってよく、Ｎ＞＝１である。すなわちセルがクローズ状態にある場合、ＤＳのＰＳＳ及び／又はＳＳＳ構成部分は、５×Ｎ（ｍｓ）周期で送信される。セルがオープン状態にある場合、ＤＳＰＳＳ及び／又はＳＳＳ構成部分が５×Ｎ（ｍｓ）周期で送信される。セルがオープン状態にある場合、以下の２つの方式がある。
【００７０】
方式１１において、ＵＥが、続いて５×Ｎ（ｍｓ）周期に従ってＤＳのＰＳＳ及び／又はＳＳＳ構成部分を測定するように構成され、そして一般的なＰＳＳ及び／又はＳＳＳの構成部分にこの部分の周期のＰＳＳ及び／又はＳＳＳのみがＤＳのＰＳＳ及び／又はＳＳＳ構成部分に属すると仮定する。または、方式１２において、一般的なＰＳＳ及び／又はＳＳＳは、いずれもＤＳのＰＳＳ及び／又はＳＳＳ構成部分とされる。
【００７１】
本発明の一つの実施形態において、ＤＳ送信が存在するセルのＵＥが、方式１２に基づいて測定するように構成され、他の隣セルのＵＥが、方式１１に従って測定するように構成されることができる。
【００７２】
ＤＳにおけるＣＳＩ−ＲＳ構成部分に対して、それに対応する論理ＩＤおよび論理アンテナポートとＤＳのＰＳＳ及び／又はＳＳＳ構成部分がそれぞれ独立して構成されることができ、この場合、マッピング関係は、一致するように構成されてよく、一致するように構成されなくてもよい。セルがクローズ状態にある場合、ＤＳのＣＳＩ−ＲＳ構成部分は、周期Ｔで送信されるが、セルがオープン状態にある場合、以下の２つの方式がある。
【００７３】
方式２１において、ＤＳのＣＳＩ−ＲＳ構成部分は、続いてクローズ状態と同様の方式で送信され、または、方式２２において、一般的なＣＳＩ測定に用いられるＣＳＩ−ＲＳをＤＳのＣＳＩ−ＲＳ構成部分として多重化することができ、周期およびポートを含む。
【００７４】
本発明の一つの実施形態において、ＤＳ送信が存在するセルのＵＥが、方式２２に基づいて測定するように構成され、他の隣セルのＵＥが方式２１に従って測定するように構成されることができる。
【００７５】
本発明の一つの実施形態において、ＤＳがＰＳＳ及び／又はＳＳＳとＣＲＳから構成される状況に対して、基地局は、ＵＥが、ＰＳＳ及び／又はＳＳＳに基づいて同期を実現し、ＣＲＳに基づいてＲＲＭ測定を行うように構成する。両者に対応する論理ＩＤおよび論理アンテナポートは、それぞれ独立しては構成されることができ、マッピング関係は、一致するように構成されてよく、一致するように構成されなくてもよい。ＤＳのＣＲＳ構成部分は、一般的にＣＳＩ測定に用いられる既存のＣＲＳと独立して構成され、または一般的にＣＳＩ測定に用いられるＣＲＳの一部のポートおよび周期から構成されることができる。
【００７６】
Ｃｅｌｌ１にＤＳを構成することを例として、ＤＳにＰＳＳ及び／又はＳＳＳおよびＣＲＳが含まれると仮定し、そしてＤＳにおけるＰＳＳ及び／又はＳＳＳ構成部分がＣｅｌｌ１のノーマルのＰＳＳ及び／又はＳＳＳシーケンスに一致すると仮定すると、対応するＩＤがＣｅｌｌ１のＰＣＩであり、ポートマッピングが一致するように維持することができる。Ｃｅｌｌ１がクローズ状態に入った場合、送信周期は、ＣｅｌｌのノーマルのＰＳＳ及び／又はＳＳＳより長いことができる。Ｃｅｌｌの一般的なＰＳＳ及び／又はＳＳＳを直接に構成して使用することができるが、その中の一部の周期のリソースのみを構成して使用し、例えばＣｅｌｌ１の一般的なＰＳＳ及び／又はＳＳＳは、５ｍｓの周期で送信され、ＤＳのＰＳＳ及び／又はＳＳＳ構成部分は、その中の５×Ｎ（ｍｓ）周期のコンポーネントであってよく、Ｎ＞＝１である。すなわちセルがクローズ状態にある場合、ＤＳのＰＳＳ及び／又はＳＳＳ構成部分は、５×Ｎ（ｍｓ）周期で送信される。セルがオープン状態にある場合、以下の２つの方式がある。
【００７７】
方式１１において、ＵＥが続いて５×Ｎ（ｍｓ）周期に従ってＤＳのＰＳＳ及び／又はＳＳＳ構成部分を測定するように構成され、そして一般的なＰＳＳ及び／又はＳＳＳの構成部分にこの部分の周期のＰＳＳ及び／又はＳＳＳのみがＤＳのＰＳＳ及び／又はＳＳＳ構成部分に属すると仮定する。または、方式１２において、一般的なＰＳＳ及び／又はＳＳＳは、いずれもＤＳのＰＳＳ及び／又はＳＳＳ構成部分とされる。
【００７８】
本発明の一つの実施形態において、ＤＳ送信が存在するセルのＵＥが、方式１２に基づいて測定するように構成され、他の隣セルのＵＥが、方式１１に従って測定するように構成されることができる。
【００７９】
ＤＳにおけるＣＳＩ−ＲＳ構成部分に対して、それに対応する論理ＩＤおよび論理アンテナポートとＤＳのＰＳＳ及び／又はＳＳＳ構成部分がそれぞれ独立して構成されることができ、この場合、マッピング関係は、一致するように構成されてよく、一致するように構成されなくてもよい。セルがクローズ状態にある場合、ＤＳのＣＳＩ−ＲＳ構成部分は、周期Ｔで送信されるが、セルがオープン状態にある場合、以下の２つの方式がある。
【００８０】
方式２１において、ＤＳのＣＳＩ−ＲＳ構成部分は、続いてクローズ状態と同様の方式で送信され、または、方式２２において、一般的なＣＳＩ測定に用いられるＣＳＩ−ＲＳをＤＳのＣＳＩ−ＲＳ構成部分として多重化することができ、周期およびポートを含む。
【００８１】
本発明の一つの実施形態において、ＤＳ送信が存在するセルのＵＥが、方式２２に基づいて測定するように構成され、他の隣セルのＵＥが方式２１に従って測定するように構成されることができる。
【００８２】
応用例は、次の通りである。
【００８３】
（１）基地局は、Ｃｅｌｌ_１が、ＤＳ−ＲＳ信号を送信するように構成し、それがＣＳＩ−ＲＳと独立して構成され、
Ｃｅｌｌ_１のＤＳ−ＲＳ信号を送信するアンテナポートを構成し、
一つのセルのＤＳ−ＲＳアンテナポートの数を１または２に構成し、それに使用されたパターンおよびシーケンスが好ましくＣＳＩ−ＲＳの１／０または２／３または４／５または６／７のシーケンスおよびパターンである。
【００８４】
ＤＳ−ＲＳがシングルポートである場合、ＣＳＩ−ＲＳの１または２または４または６のシーケンスおよびパターンが好ましく、ＤＳ−ＲＳが２つのポートである場合、それに使用されたパターンおよびシーケンスは、ＣＳＩ−ＲＳの１／０または２／３または４／５または６／７ポートに対応するシーケンスおよびパターンである。一つのセルのＣＳＩ−ＲＳアンテナポートの数が一般的にＤＳ−ＲＳアンテナポートの数より大きいか等しい。
【００８５】
（２）Ｃｅｌｌ_２およびＣｅｌｌ_３が、Ｃｅｌｌ_１のＤＳ−ＲＳと時間領域及び周波数領域で互いにスタガード（ｓｔａｇｇｅｒｅｄ）するように構成され、そしてＣｅｌｌ_２とＣｅｌｌ_３がＣｅｌｌ_１がＤＳ−ＲＳを送信する時間周波数リソース位置（すなわちＤＳ−ＲＳによって占有されたＲＥ位置）にデータを送信しないように構成される。このようにしてＣｅｌｌ_２とＣｅｌｌ_３がＣｅｌｌ_１のＤＳ−ＲＳの時間周波数リソース位置に対して干渉をもたらしない。ＣＳＩ−ＲＳは、セル間のＣＳＩ−ＲＳが時間領域及び周波数領域で互いにスタガードするように構成され、そして隣セルが本セルのＣＳＩ−ＲＳに対応する時間周波数リソース位置にデータを送信しないように構成され、それら同士が互いにスタガードしてデータを送信しないセルセットがＤＳ−ＲＳと独立して構成され、すなわち両者のセットが同じであってよく、一部分が重なり合い、重なり合わないことができる。ＣＳＩ−ＲＳセルセットは、ＣＳＩ測定需要に基づいて構成されるが、ＤＳ−ＲＳセルセットは、セル発見および測定需要に基づいて構成される。一般的には、ＤＳ−ＲＳセルセット＞ＣＳＩ−ＲＳセルセットである。
【００８６】
Ｃｅｌｌ_１のＤＳ−ＲＳ  ＲＥ位置に対応する隣セルのＲＥセットＡにおいて、その中のデータを送信しないＲＥセットＢは、Ａ＝Ｂ、Ｂ∈Ａ、Ａ∈Ｂ、Ａ∩Ｂ≠фであってよい。しかも、Ｃｅｌｌ_２とＣｅｌｌ_３のデータを送信しないＲＥセットは、同じに構成され、または相違に構成されることができる。前記相違の区別は、好ましく同士の時間周波数対応関係が異なり、例えば周期が異なることである。
【００８７】
ＤＳ−ＲＳが一部のセルシステム周波数帯域幅を占有して送信されるように構成される。
【００８８】
例えば、Ｃｅｌｌ_１のシステム帯域幅Ｎ個のＲＢ（Ｒｅｓｏｕｒｃｅ  Ｂｌｃｋ：リソースブロック）（例えばＮ＝１００）に対して、ＤＳ−ＲＳがその中のＭ個のＲＢ（例えばＭ＝２５）のみを占有するように構成されることができる。
【００８９】
好ましくは、ａ）Ｎ＞＝２５の場合、Ｍ＝２５であり、ｂ）Ｎ＜２５の場合、Ｍ＝Ｎである。好ましいスキームの目的は、システム帯域幅が広い場合、少ない周波数帯域幅をできるだけ占有するように構成して、オーバーヘッドを低減させる。システム帯域幅が小さい場合、システムシステム全体の帯域幅を占有するように構成する必要があり、これによって測定の性能を保証する。
【００９０】
一部のシステム帯域幅のみを占有するように構成する場合、周波数領域は、以下の選択がある。
【００９１】
選択１：異なるセルのＤＳ−ＲＳがいずれもシステム帯域幅の中間を占有するように構成され、ＵＥからシステム帯域幅の中心部分の周波数帯域のみを測定する必要があり、かつ異なるセルを測定する動作が一致し、測定の複雑さを低下させる。
【００９２】
選択２：隣セルに占有された周波数帯域がスタガードするように構成される。このスキームは、異なるセルのサブフレームがＤＳ−ＲＳを送信する場合、同士が周波数帯域において互いにスタガードし、直交をできるだけ維持することに役立つ。
【００９３】
Ｃｅｌｌ_１のＤＳ−ＲＳのための擬似ランダムシーケンス（ＰＮシーケンス）を構成して使用されるＩＤを生成する。
【００９４】
選択スキームは、
Ｃｅｌｌ_１のＰＣＩ（Ｐｈｙｓｉｃａｌ  Ｃｅｌｌ  ＩＤ：物理セル識別子）をパラメータのうちの一つとして構成して使用してそのＰＮシーケンスの生成を行い、ＵＥがＰＮシーケンスに基づいてＰＣＩを取得し、または既知のＰＣＩに基づいてＤＳ−ＲＳを迅速に検出することに便利を与え、
アクセスポイント識別子（ＡＰ−ＩＤ）をパラメータのうちの一つとして構成して使用してそのＰＮシーケンスの生成を行い、ＵＥがＰＮシーケンスに基づいてＡＰ−ＩＤを取得し、または既知のＡＰ−ＩＤに基づいてＤＳ−ＲＳを迅速に検出することに便利を与える。
【００９５】
セルが活性化状態または休眠状態にあるかもしれなく、異なる状態において送信パターンの構成関係は、次の通りである。
【００９６】
活性化状態にあるセル（Ｃｅｌｌ  ＯＮ）は、２つの構成（Ｃｏｎｆｉｇｕｒａｔｉｏｎ）スキームがある。
【００９７】
スキーム１：一般的なＣＳＩ−ＲＳのみを構成して送信し、ＤＳ−ＲＳを独立して構成しない。すなわち一般的なＣＳＩ−ＲＳの一部またはすべてのポートがＤＳ−ＲＳに用いられるように指定され、このようにして信号の種類を減少することができ、ＵＥとシステムの複雑さを一定の程度で低下させることもできる。
【００９８】
スキーム２：一般的なＣＳＩ−ＲＳと独立して構成されたＤＳ−ＲＳを同時に構成して送信し、このようにしてセルの活性化状態と非活性化状態状態におけるＤＳ−ＲＳの送信動作を統一することができ、ＵＥの測定動作を統一することもできる。
【００９９】
休眠状態にあるセル（Ｃｅｌｌ  ＯＦＦ）に対して、
セルがＤＳ−ＲＳのみを送信し、一般的なＣＳＩ−ＲＳの送信を停止するように構成される。
【０１００】
すなわち、スキーム１に対して、ＤＳ−ＲＳとして使用されるＣＳＩ−ＲＳのみを送信し、他の一般的なＣＳＩ−ＲＳを送信せず、
スキーム２に対して、独立して構成されたＤＳ−ＲＳのみを送信し、ＣＳＩ−ＲＳを送信しない。
【０１０１】
ＤＳのためのＣＳＩ−ＲＳリソースとＣＳＩのためのＣＳＩ−ＲＳは、互いに直交する。ＣＳＩのためのＣＳＩ−ＲＳがセルのＯＮ／ＯＦＦに伴って送信を停止され、再送信され、かつ電力適応（ｐｏｗｅｒ  ａｄａｐｔｉｏｎ）に伴って電力調整を行うので、異なるポートの電力送信がアンバランスであり、ＣＳＩ測定の偏差をもたらし、そのためＤＳとノーマルのＣＳＩ−ＲＳを分けて独立して構成して送信する必要がある。
【０１０２】
Ｚｅｒｏ−ｐｏｗｅｒ（ゼロ電力）のＣＳＩ−ＲＳを構成し、その周期がＤＳのためのＣＳＩ−ＲＳ周期セットから選択され、周期の長さのすべてまたは一部がセルセットＡにおける他のセルに構成されたＤＳのためのＣＳＩ−ＲＳ周期に対応する。例えば、Ｃｅｌｌ１、Ｃｅｌｌ２とｃｅｌｌ３があり、Ｃｅｌｌ１に構成されたＺｅｒｏ−ｐｏｗｅｒ  ＣＳＩ−ＲＳがＣｅｌｌ２とＣｅｌｌ３に構成されたＤＳのためのＣＳＩ−ＲＳ  ｐａｔｔｅｒｎの全セット（ｗｈｏｌｅ  ｓｅｔ）またはサブセットであり、
ＤＳ測定周期は、ＣＳＩ測定周期より長いことができ、特にＯＦＦ状態である。ＣＳＩ測定と同様の周期に構成されると、すなわち送信する時に短い周期で送信する必要もあり、不要なオーバーヘッドをもたらす。
【０１０３】
本発明の実施形態において、基地局は、無線リソース制御（ＲＲＣ：Ｒａｄｉｏ  Ｒｅｓｏｕｒｃｅ  Ｃｏｎｔｒｏｌ）シグナリングを介してＤＳ測定目的をＵＥに明らかに指示することができる。
【０１０４】
本実施形態において、ＤＳは、ｐｏｒｔ０またはｐｏｒｔ０＋ｐｏｒｔ１のみを測定する必要があり、より多くのポートがあっても、構成する必要がなく、従って、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）は、ｍｕｔｉｎｇ  ｐｏｒｔ０またはｐｏｒｔ０＋ｐｏｒｔ１（ｉ．ｅ．部分ポート）のみを必要とし、それによってオーバーヘッドをさらに削減することができる。
【０１０５】
ＤＳ測定を行うようにＵＥに通知し、ＵＥに通知された情報は、
測定すべきＤＳ−ＲＳセルセットＡにおいて、情報はＣｅｌｌ−ＩＤ（セル識別子）および対応するＤＳ−ＲＳ測定パターン（使用されるシーケンス、時間周波数リソース位置（周期、占有されたＲＢ、開始サブフレームの位置など）などを含む）、測定ＩＤ、測定量、検出および測定報告ルール（例えば、検出報告閾値、測定値報告閾値、最大報告セルの数、１つ以上のポートＤＳ−ＲＳに基づいて測定することなど）を含む。ここで、ＤＳ−ＲＳ測定パターンは、ＤＳ−ＲＳ送信パターンの全セットまたはサブセットであってよい。
【０１０６】
測定されたセルとＵＥが常駐しているセルＣｅｌｌ_１が同期するかどうかをさらに指示することができ、さらに測定されたセルとＣｅｌｌ_１との同期偏差値を通知することができる。測定されたセルが同期であると、ＵＥは、同期に基づいて測定を仮定し、同期検出時間を減少し、それによって測定効率を向上し、測定されたセルが同期しなくかつ同期偏差値を通知しないと、ＵＥは、測定すべきセルが非同期状態にあると仮定する必要があり、同期測定を行う必要があり、その後セル発見測定を行い、測定されたセルが同期しなくかつ同期偏差値を通知した場合、ＵＥは、測定すべきセルが非同期状態にあると仮定する必要があり、通知された同期偏差値に基づいて同期受信調整を行い、その後セル発見測定を行う。非同期セルに対して、同期偏差値（時間がＤＳ送信／測定時点を含み、セル間の同期偏差値）を通知した場合、同期検出時間を減少でき、それによって測定効率を向上させる。同期するかどうかおよび同期偏差値は、ネットワーク間の測定に由来してよく、他のＵＥの測定およびフィードバックに由来してもよい。
【０１０７】
同期するかどうか、同期偏差値情報は、セル間（および／または搬送波間）に交換する必要がある。
【０１０８】
システムによってＵＥに通知されることができ、測定されたセルオブジェクトＣｅｌｌ_１の同期基準セル（Ｃｅｌｌ_ｓｙｃ）に対して、ＵＥは、Ｃｅｌｌ_ｓｙｃに基づいてＣｅｌｌ_１と同期することができる。
【０１０９】
セルの状態に基づいて異なる測定パターンを構成する。
【０１１０】
スキーム１を使用して送信すると、ＵＥは、一般的なＣＳＩ−ＲＳの全セットまたはサブセットを測定するように構成され、好ましくｐｏｒｔ０またはｐｏｒｔ０＋ｐｏｒｔ１のみを測定するように構成される。
【０１１１】
スキーム２を使用して送信すると、ＵＥは、一般的なＣＳ−ＲＳの全セットまたはサブセットを測定するように構成され、このようにしてセルの活性化状態および非活性化状態におけるＵＥの測定動作を統一することができる。
【０１１２】
同一周波数測定と異周波数測定は、それぞれ異なる測定を構成し、測定されたセルとＵＥの存在するサービスセルの周波数ポイントが同じであると、同一周波数測定であり、そうでなければ、異周波数測定である。
【０１１３】
好ましい構成はすなわち同一周波数測定基準信号受信電力（ＲＳＲＰ：Ｒｅｆｅｒｅｎｃｅ  Ｓｉｇｎａｌ  Ｒｅｃｅｉｖｉｎｇ  Ｐｏｗｅｒ）、異周波数測定基準信号受信品質（ＲＳＲＱ：Ｒｅｆｅｒｅｎｃｅ  Ｓｉｇｎａｌ  Ｒｅｃｅｉｖｉｎｇ  Ｑｕａｌｉｔｙ）である。
【０１１４】
異周波数測定の場合、好ましく前記ターゲットセルが同期搬送波であるかどうかを指示するように通知する。
【０１１５】
測定およびフィードバックされたターゲットオブジェクトは、ＵＥによってフィードバックされたセル発見情報に基づいて構成されることができる。すなわち、
まずＵＥがセル発見検出を行い、そして基地局にフィードバックするように構成され、基地局がＵＥによってフィードバックされたセル発見情報に基づいてさらに測定されるセルセットＣを選択し、それにによってＵＥが選択されたセルセットＣに対して無線リソース管理（ＲＲＭ：Ｒａｄｉｏ  Ｒｅｓｏｕｒｃｅ  Ｍａｎａｇｅｍｅｎｔ）測定を行い、例えばＲＳＲＰ、ＲＳＲＰおよび／または同期を行うように構成される。
【０１１６】
本発明の実施形態による方法は、ＵＥがネットワーク構成に基づいて、測定およびフィードバックを行うことをさらに含む。
【０１１７】
ＵＥは、基地局の構成に従って測定およびフィードバックする。好ましくより短い周期を構成してセル発見情報をフィードバックし、主にセルＩＤ情報を含み、同時に信号強弱および／または信号品質優劣のレベルを含むこともできる。強弱および優劣レベルの定義は、基地局によってＵＥに構成され、例えば高、中、低の３つのレベルである。
【０１１８】
ＵＥが信号強度および／または品質情報をフィードバックする周期は、長く構成されることができる。
【０１１９】
図２は本発明の実施形態による基地局の構成構造図である。図２に示すように、前記基地局は、少なくとも
ＤＳリソースを構成し、指定された基準信号の一部の利用可能なリソースをＤＳリソースとすることを含むように構成され、さらに指定された基準信号のすべての利用可能なリソースをＤＳリソースとして構成するように構成される構成モジュールと、
構成に応じてＤＳを送信するように構成される送信モジュールとを含む。
【０１２０】
本発明の実施形態による基地局は、構成に基づいてＤＳを測定するように端末に通知するように構成される通知モジュールをさらに含む。具体的に、無線リソース制御シグナリングにより、構成に基づいてＤＳ測定を行うように端末に通知するように構成され、端末に通知された構成情報は、
ＤＳにより測定されたセルセットすなわちセル識別子と対応する発見信号測定パターン、または、
測定されたセルが、前記端末が常駐しているセルと同期するかどうかおよび／または測定されたセルと端末が常駐しているセルの同期偏差値を含む。
【０１２１】
指定された基準信号は、ＣＳＩ−ＲＳであり、ＤＳ資源は、ＣＳＩ−ＲＳの一部の利用可能な資源と他の信号例えばプライマリ信号及び／又はセカンダリ同期信号（ＰＳＳ及び／又はＳＳＳ）、共通基準信号（ＣＲＳ）、位置決め基準信号（ＰＲＳ）のうちの一つまたはそれらの任意のいくつかの組み合わせを含む。
【０１２２】
構成モジュールは、具体的にＣＳＩ−ＲＳを送信するアンテナポートのうちの１つ以上のアンテナポートによって送信されたＣＳＩ−ＲＳリソースをＤＳリソースとして構成するように構成され、または、１つ以上のアンテナポートによって送信されたＣＳＩ−ＲＳのリソースをＤＳリソースとして独立して構成するように構成され、
ＤＳリソースとして構成されたＣＳＩ−ＲＳリソースは、チャネル状態情報測定ＣＳＩのための既存のＣＳＩ−ＲＳリソースと互いに直交するように構成される。
【０１２３】
構成モジュールは、さらに、
前記ＣＳＩ−ＲＳリソースのアンテナポートと他の信号のアンテナポートのマッピングが一致するように構成されるように構成され、
または、前記ＣＳＩ−ＲＳリソースのアンテナポートと他の信号のアンテナポートがそれぞれ異なるポートをマッピングするように構成されるように構成される。
【０１２４】
ＤＳバースト構造は、同一のセルにおいて、送信されたＤＳのバースト構造が異なること、または、
一つのセルクラスタにおいて、一部のセルによって送信された各ＤＳのバースト構造にＤＳリソースを構成するためのすべての信号が含まれ、残りのセルによって送信されたＤＳバースト構造にＤＳリソースを構成するための一部の信号が含まれること、または、
送信された各ＤＳのバースト構造にＤＳリソースを構成するためのすべての信号が含まれることである。
【０１２５】
ＤＳがＰＳＳ及び／又はＳＳＳとＣＳＩ−ＲＳを含む場合、構成モジュールは、さらに、
ＵＥがＰＳＳ及び／又はＳＳＳに基づいて同期を実現し、ＣＳＩ−ＲＳに基づいてＲＲＭ測定を行うように構成されるように構成され、
ＰＳＳ及び／又はＳＳＳとＣＳＩ−ＲＳに対応する論理ＩＤおよび論理アンテナポートがそれぞれ独立して構成され、マッピング関係が一致するまたは一致しないように構成され、
ＤＳのＣＳＩ−ＲＳ構成部分が一般的にＣＳＩ測定に用いられる既存のＣＳＩ−ＲＳと独立して構成され、または一般的にＣＳＩ測定に用いられる既存のＣＳＩ−ＲＳの一部のポートおよび周期から構成される。
【０１２６】
本発明の実施形態によるコンピュータ記憶媒体は、上記のいずれかの方法実施形態に記載される方法を実行するためのコンピュータ実行可能命令を記憶している。前記各ユニットは、電子装置のうちの中央処理装置（ＣＰＵ：Ｃｅｎｔｒａｌ  Ｐｒｏｃｅｓｓｉｎｇ  Ｕｎｉｔ）、デジタル信号プロセッサ（ＤＳＰ：Ｄｉｇｉｔａｌ  Ｓｉｇｎａｌ  Ｐｒｏｃｅｓｓｏｒ：ＤＳＰ）またはフィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）によって実現されることができる。
【０１２７】
本分野の当業者は、本発明の実施形態が方法、システム、またはコンピュータプログラム製品として提供されることができると理解すべきである。そのため、本発明は、ソフトウェア実施形態、ハードウェア実施形態、またはソフトウェアとハードウェアを組み合わせた実施形態の形態を採用することができる。しかも、本発明は、コンピュータ使用可能プログラムコードが含まれる１つ以上のコンピュータ使用可能記憶媒体（磁気ディスクメモリと光ディスクメモリなどを含むがこれらに限られない）で実施形態されるコンピュータプログラム製品の形態を採用することができる。
【０１２８】
本発明は、本発明の実施形態による方法、装置（システム）とコンピュータプログラム製品に基づくフローチャートおよび／またはブロック図を参照して説明される。コンピュータプログラム命令によってフローチャートおよび／またはブロック図の各プロセスおよび／またはブロック、およびフローチャートおよび／またはブロック図のプロセスおよび／またはブロックの組み合わせを実現することができると理解すべきである。これらのコンピュータプログラム命令を汎用コンピュータ、専用コンピュータ、組み込みプロセッサまたは他のプログラム可能なデータ処理装置のプロセッサに提供して一つのマシンを生成することができ、これにより、コンピュータまたは他のプログラム可能なデータ処理装置のプロセッサで実行された命令によりフローチャートの１つ以上のプロセスおよび／またはブロック図の１つ以上のブロックにおける指定された機能を実現するための装置を生成する。
【０１２９】
これらのコンピュータプログラム命令は、特定のモードで動作するようにコンピュータまたは他のプログラム可能なデータ処理装置を案内することができるコンピュータ可読メモリに記憶されることもでき、これにより、当該コンピュータ可読メモリに記憶された命令により命令装置が含まれる製造品を生成し、当該命令装置がフローチャートの１つ以上のプロセスおよび／またはブロック図の１つ以上のブロックにおける指定された機能を実現する。
【０１３０】
これらのコンピュータプログラム命令は、コンピュータまたは他のプログラム可能データ処理装置にロードされることもでき、これにより、コンピュータまたは他のプログラム可能なデータ処理装置で一連の操作ステップを実行してコンピュータで実現された処理を生成し、それによってコンピュータまたは他のプログラム可能なデータ処理装置で実行された命令によりフローチャートの１つ以上のプロセスおよび／またはブロック図の１つ以上のブロックにおける指定された機能を実現するためのステップを提供する。
【図１】
2016536883.tif 000003
【図２】
2016536883.tif 000004
【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
発見信号処理方法であって、
基地局が、指定された基準信号の一部の利用可能なリソースを発見信号（ＤＳ）リソースとして構成することと、
基地局が構成に応じてＤＳを送信し、端末が構成に応じてＤＳを測定することとを含む、発見信号処理方法。
【請求項２】
前記基地局が、指定された信号のすべての利用可能なリソースをＤＳリソースとして構成することをさらに含むことを特徴とする
請求項１に記載の発見信号処理方法。
【請求項３】
前記指定された基準信号は、チャネル状態情報基準信号（ＣＳＩ−ＲＳ）を含み、前記構成は、
前記ＣＳＩ−ＲＳを送信するアンテナポートのうちの１つ以上のアンテナポートによって送信されたＣＳＩ−ＲＳリソースをＤＳリソースとして構成すること、または、
１つ以上のアンテナポートによって送信されたＣＳＩ−ＲＳリソースを独立して構成することを含むことを特徴とする
請求項１または２に記載の発見信号処理方法。
【請求項４】
前記ＤＳリソースは、ＣＳＩ−ＲＳの一部の利用可能リソースと他の信号の組み合わせを含み、
その他の信号は、プライマリ同期信号及び／又はセカンダリ同期信号（ＰＳＳ及び／又はＳＳＳ）、共通基準信号（ＣＲＳ）、位置決め基準信号（ＰＲＳ）のうちの一つまたは任意のいくつかの組み合わせを含むことを特徴とする
請求項１に記載の発見信号処理方法。
【請求項５】
前記構成は、前記ＣＳＩ−ＲＳリソースのアンテナポートと他の信号のアンテナポートのマッピングが一致するように構成されること、
または、前記ＣＳＩ−ＲＳリソースのアンテナポートと他の信号のアンテナポートがそれぞれ異なるポートをマッピングするように構成されることをさらに含むことを特徴とする
請求項４に記載の発見信号処理方法。
【請求項６】
ＤＳリソースとして構成されたＣＳＩ−ＲＳリソースは、チャネル状態情報測定（ＣＳＩ）のための既存のＣＳＩ−ＲＳリソースと互いに直交することを特徴とする
請求項３に記載の発見信号処理方法。
【請求項７】
前記指定された基準信号がＰＳＳ及び／又はＳＳＳを含み、
前記ＤＳリソースがＰＳＳ及び／又はＳＳＳ、およびＣＳＩ−ＲＳまたはＣＲＳまたはＰＲＳのうちの一つまたは任意のいくつかの組み合わせを含むことを特徴とする
請求項１に記載の発見信号処理方法。
【請求項８】
前記ＤＳのバースト構造は、同一のセルにおいて、送信されたＤＳのバースト構造が異なること、または、
一つのセルクラスタにおいて、一部のセルによって送信された各ＤＳのバースト構造にＤＳリソースを構成するためのすべての信号が含まれ、残りのセルによって送信されたＤＳのバースト構造にＤＳリソースを構成するための一部の信号が含まれること、または、
送信された各ＤＳのバースト構造にＤＳリソースを構成するためのすべての信号が含まれることであることを特徴とする
請求項４または７に記載の発見信号処理方法。
【請求項９】
前記ＤＳは、ＰＳＳ及び／又はＳＳＳとＣＳＩ−ＲＳを含み、前記構成は、
前記基地局によってＵＥがＰＳＳ及び／又はＳＳＳに基づいて同期を実現し、ＣＳＩ−ＲＳに基づいてＲＲＭ測定を行うように構成されることと、
ＰＳＳ及び／又はＳＳＳとＣＳＩ−ＲＳに対応する論理ＩＤおよび論理アンテナポートがそれぞれ独立して構成され、マッピング関係が一致するまたは一致しないように構成されることと、
前記ＤＳのＣＳＩ−ＲＳ構成部分が一般的にＣＳＩ測定に用いられる既存のＣＳＩ−ＲＳと独立して構成され、または、一般的にＣＳＩ測定に用いられる既存のＣＳＩ−ＲＳの一部のポートと周期から構成されることとをさらに含むことを特徴とする
請求項８に記載の発見信号処理方法。
【請求項１０】
前記基地局が構成に基づいてＤＳを測定するように端末に通知することをさらに含み、
前記通知が無線リソース制御シグナリングにより通知されることであることを特徴とする
請求項１に記載の発見信号処理方法。
【請求項１１】
前記端末に通知された構成情報は、
セル識別子および対応する発見信号測定パターンを含んでいる前記ＤＳにより測定されたセルセット、または、
測定されたセルが、前記端末が常駐しているセルと同期するかどうか、および／または測定されたセルと前記端末が常駐しているセルの同期偏差値を含むことを特徴とする
請求項１０に記載の発見信号処理方法。
【請求項１２】
物理セル識別子ＰＣＩまたはアクセスポイント識別子ＡＰＩを使用して擬似ランダムＰＮシーケンスを初期化することをさらに含むことを特徴とする
請求項１または２に記載の発見信号処理方法。
【請求項１３】
基地局であって、
ＤＳリソースを構成し、指定された基準信号の一部の利用可能なリソースをＤＳリソースとすることを含むように構成される構成モジュールと、
構成に応じてＤＳを送信するように構成される送信モジュールとを少なくとも含む、基地局。
【請求項１４】
前記構成モジュールは、さらに指定された基準信号のすべての利用可能なリソースをＤＳリソースとして構成するように構成されることを特徴とする
請求項１３に記載の基地局。
【請求項１５】
コンピュータ記憶媒体であって、
請求項１〜１２のいずれか１項に記載の方法を実行するためのコンピュータ実行可能命令を記憶しているコンピュータ記憶媒体。
【国際調査報告】
2016536883.tif 000005
2016536883.tif 000006
2016536883.tif 000007
2016536883.tif 000008